(57)【要約】  洗濯機のダンピング吊り棒構造および洗濯機において、ダンピング吊り棒構造は、洗濯機の外槽（１００）に取り付ける吊り棒（３００）を含む。前記吊り棒（３００）に、外槽（１００）が横方向および縦方向に揺れるのを緩衝するダンピング構造（２００）が設けられ、ダンピング構造（２００）は外槽（１００）壁に取り付けられ、外槽（１００）壁に対して横方向および縦方向に運動することができる。洗濯機のダンピング吊り棒構造は、吊り棒（３００）および外槽（１００）の間にダンピング構造（２００）を追加し、内外槽アセンブリが脱水時に、水平方向に平行移動するのを効果的に抑制することができる。洗濯機の低速回転時、偏心が比較的大きい場合、槽アセンブリが上下に揺れる状況が生じることがあり、このとき吊り棒（３００）底部のバネのみにより、槽の上下の揺れを抑制することはできない。ダンピング構造（２００）は外槽壁に取り付けられ、外槽壁に対して横方向および縦方向に運動することができ、これにより槽の上下の揺れを抑制する。【選択図】図８
2019512301.tif 000002
【特許請求の範囲】
【請求項１】
洗濯機の外槽に取り付ける吊り棒を含む、洗濯機のダンピング吊り棒構造であって、前記吊り棒に、外槽が横方向および縦方向に揺れるのを緩衝するダンピング構造が設けられ、ダンピング構造は外槽壁に取り付けられ、外槽壁に対して横方向および縦方向に運動することができることを特徴とする構造。
【請求項２】
前記ダンピング構造が、外槽の縦方向の揺れを緩衝する縦方向ダンピング部と、外槽の横方向の揺れを緩衝する横方向ダンピング部とを含み、縦方向ダンピング部および横方向ダンピング部は、接続ダンピングブロックを介して相互に接続され、前記吊り棒は縦方向ダンピング部を通過することを特徴とする、請求項１に記載の洗濯機のダンピング吊り棒構造。
【請求項３】
前記ダンピング構造は取付ホルダおよび回転スライド棒を含み、前記取付ホルダは外槽の外壁に固定され、回転スライド棒の一端は取付ホルダに取り付けられ、取付ホルダに対して上下に運動し、一定角度の円周で回転することができ、前記縦方向ダンピング部および横方向ダンピング部は回転スライド棒に取り付けられることを特徴とする、請求項２に記載の洗濯機のダンピング吊り棒構造。
【請求項４】
前記取付ホルダは、外槽の外壁に平行に設置される上取付ホルダおよび下取付ホルダを含む；前記回転スライド棒は垂直棒および横方向Ｕ状フォークを含み、垂直棒の両端はそれぞれ横方向Ｕ状フォークの上下両側に位置し、それぞれ上取付ホルダおよび下取付ホルダ内に取り付けられ、横方向Ｕ状フォークは上取付ホルダおよび下取付ホルダの間に位置する；前記縦方向ダンピング部および横方向ダンピング部は、横方向Ｕ状フォークに取り付けられることを特徴とする、請求項３に記載の洗濯機のダンピング吊り棒構造。
【請求項５】
前記縦方向ダンピング部は第１ダンピングブロックおよび第２ダンピングブロックを含み、第１ダンピングブロックおよび第２ダンピングブロックに、それぞれ縦方向の溝が対応して設けられ、縦方向の溝は、第１ダンピングブロックおよび第２ダンピングブロックを相対して取り付けると、吊り棒が通過する縦方向ダンピング接触部を形成する；
前記第１ダンピングブロックおよび第２ダンピングブロックは、それぞれ弾性ダンピング材からなるか、または前記第１ダンピングブロックおよび第２ダンピングブロックが形成する縦方向ダンピング接触部内にダンピングシートが設置されることを特徴とする、請求項３に記載の洗濯機のダンピング吊り棒構造。
【請求項６】
前記横方向ダンピング部は第３ダンピングブロック、第４ダンピングブロック、第５ダンピングブロックおよび第６ダンピングブロックを含み、第３ダンピングブロックおよび第４ダンピングブロックは、横方向Ｕ状フォークの１つのアームの両側に挟むように取り付けられ、第５ダンピングブロックおよび第６ダンピングブロックは、横方向Ｕ状フォークのもう１つのアームの両側に挟むように取り付けられ、第４ダンピングブロックおよび第６ダンピングブロックは接続棒を介して接続される；
前記第３ダンピングブロック、第４ダンピングブロック、第５ダンピングブロックおよび第６ダンピングブロックは、それぞれ弾性ダンピング材からなるか、または前記第３ダンピングブロックおよび第４ダンピングブロックの間、第５ダンピングブロックおよび第６ダンピングブロックの間に、それぞれダンピングシートが設置され、ダンピングシートはそれぞれ横方向Ｕ状フォークのアームを覆うことを特徴とする、請求項４に記載の洗濯機のダンピング吊り棒構造。
【請求項７】
前記縦方向ダンピング部および接続ダンピングブロックは、接続棒の両側に挟むように取り付けられることを特徴とする、請求項６に記載の洗濯機のダンピング吊り棒構造。
【請求項８】
前記上取付ホルダおよび下取付ホルダに、それぞれ欠損部分と、欠損部分に取り付ける差込ブロックとが対応して設けられ、前記回転スライド棒の垂直棒を欠損部分の一側に沿って進入させ、さらに差込ブロックを欠損部分に装入して位置制限することができ、前記回転スライド棒の横方向Ｕ状フォークの直径は、上取付ホルダおよび下取付ホルダの間の距離より小さいことを特徴とする、請求項４に記載の洗濯機のダンピング吊り棒構造。
【請求項９】
外槽、吊り棒および筐体を含み、外槽は筐体内に設置され、吊り棒の一端は外槽に取り付けられ、もう一端は筐体に取り付けられる洗濯機であって、少なくとも２つの相対する前記吊り棒の中部と、外槽との間に、外槽が横方向および縦方向に揺れるのを緩衝するダンピング構造が取り付けられることを特徴とする洗濯機。
【請求項１０】
前記吊り棒が、外槽の中心軸に平行な方向に沿って取り付けられることを特徴とする、請求項９に記載の洗濯機。
【発明の詳細な説明】
【技術分野】
【０００１】
本発明は洗濯機の技術分野に関し、具体的に、洗濯機のダンピング吊り棒構造および洗濯機に関する。
【背景技術】
【０００２】
既存のパルセータ式洗濯機は、主に吊り棒中のバネ部品により制振を行い、一般的に垂直方向と７°前後の取付角度を呈する。したがって吊り棒のバネ抵抗は主に垂直方向の力に分解され、水平面の分力は小さい。すなわち主に垂直方向の振動を抑制するが、水平面の振動を効果的に抑制することはできない。
【０００３】
出願番号が第２０１４１０５９９２７３．２号、名称が洗濯槽の減衰装置および洗濯槽である既存の中国発明特許は、洗濯槽の減衰装置を開示し、吊り棒と、横棒と、吊り棒および横棒を接続するスライドループとを含む。横棒は洗濯槽に取り付けられ、吊り棒の上取付部は洗濯機筐体に取り付けられ、下取付部は洗濯槽に取り付けられる。横棒は洗濯槽の横方向の揺れおよび振動を制御し、吊り棒は洗濯槽の深さ方向の揺れおよび振動を制御する。これにより洗濯槽の動作時に、洗濯槽の振動を軽減することができ、動作の騒音および洗濯機全体の振動を減少させる。
【０００４】
上記特許における洗濯槽の減衰装置は、既存の吊り棒および外槽の間に横棒と、吊り棒および横棒を接続するスライドループとを追加し、内外槽アセンブリが脱水時に水平方向で振動するのを効果的に抑制することができる。しかし、洗濯機の低速回転時、偏心が比較的大きい場合、槽アセンブリが上下に揺れる状況が生じることがあり、このとき吊り棒底部のバネのみにより、槽が上下に揺れるのを抑制することはできない。
【０００５】
このことを考慮して、特に本発明を示す。
【先行技術文献】
【特許文献】
【０００６】
【特許文献１】中国特許第２０１４１０５９９２７３．２号明細書
【発明の概要】
【課題を解決するための手段】
【０００７】
上記問題を解決するため、本発明における第１の発明の目的は、洗濯機のダンピング吊り棒構造を提供することである。具体的に、以下の技術案を採用した。
洗濯機の外槽に取り付ける吊り棒を含む、洗濯機のダンピング吊り棒構造であって、前記吊り棒に、外槽が横方向および縦方向に揺れるのを緩衝するダンピング構造が設けられ、ダンピング構造は外槽壁に取り付けられ、外槽壁に対して横方向および縦方向に運動することができることを特徴とする構造。
【０００８】
さらに、前記ダンピング構造は、外槽の縦方向の揺れを緩衝する縦方向ダンピング部と、外槽の横方向の揺れを緩衝する横方向ダンピング部とを含む。縦方向ダンピング部および横方向ダンピング部は、接続ダンピングブロックを介して相互に接続され、前記吊り棒は縦方向ダンピング部を通過する。
【０００９】
さらに、前記ダンピング構造は取付ホルダおよび回転スライド棒を含み、前記取付ホルダは外槽の外壁に固定され、回転スライド棒の一端は取付ホルダに取り付けられ、取付ホルダに対して上下に運動し、一定角度の円周で回転することができる。前記縦方向ダンピング部および横方向ダンピング部は、回転スライド棒に取り付けられる。
【００１０】
さらに、前記取付ホルダは、外槽の外壁に平行に設置される上取付ホルダおよび下取付ホルダを含む。前記回転スライド棒は垂直棒および横方向Ｕ状フォークを含み、垂直棒の両端はそれぞれ横方向Ｕ状フォークの上下両側に位置し、それぞれ上取付ホルダおよび下取付ホルダ内に取り付けられ、横方向Ｕ状フォークは上取付ホルダおよび下取付ホルダの間に位置する。前記縦方向ダンピング部および横方向ダンピング部は、横方向Ｕ状フォークに取り付けられる。
【００１１】
さらに、前記縦方向ダンピング部は第１ダンピングブロックおよび第２ダンピングブロックを含む。第１ダンピングブロックおよび第２ダンピングブロックに、それぞれ縦方向の溝が対応して設けられ、縦方向の溝は、第１ダンピングブロックおよび第２ダンピングブロックを相対して取り付けると、吊り棒が通過する縦方向ダンピング接触部を形成する。
前記第１ダンピングブロックおよび第２ダンピングブロックは、それぞれ弾性ダンピング材からなるか、または前記第１ダンピングブロックおよび第２ダンピングブロックが形成する縦方向ダンピング接触部内にダンピングシートが設置される。
【００１２】
さらに、前記横方向ダンピング部は第３ダンピングブロック、第４ダンピングブロック、第５ダンピングブロックおよび第６ダンピングブロックを含む。第３ダンピングブロックおよび第４ダンピングブロックは、横方向Ｕ状フォークの１つのアームの両側に挟むように取り付けられ、第５ダンピングブロックおよび第６ダンピングブロックは、横方向Ｕ状フォークのもう１つのアームの両側に挟むように取り付けられ、第４ダンピングブロックおよび第６ダンピングブロックは接続棒を介して接続される。
前記第３ダンピングブロック、第４ダンピングブロック、第５ダンピングブロックおよび第６ダンピングブロックは、それぞれ弾性ダンピング材からなるか、または前記第３ダンピングブロックおよび第４ダンピングブロックの間、第５ダンピングブロックおよび第６ダンピングブロックの間に、それぞれダンピングシートが設置され、ダンピングシートはそれぞれ横方向Ｕ状フォークのアームを覆う。
【００１３】
さらに、前記縦方向ダンピング部および接続ダンピングブロックは、接続棒の両側に挟むように取り付けられる。
【００１４】
さらに、前記上取付ホルダおよび下取付ホルダに、それぞれ欠損部分と、欠損部分に取り付ける差込ブロックとが対応して設けられる。前記回転スライド棒の垂直棒を欠損部分の一側に沿って進入させ、さらに差込ブロックを欠損部分に装入して位置制限することができる。前記回転スライド棒の横方向Ｕ状フォークの直径は、上取付ホルダおよび下取付ホルダの間の距離より小さい。
【００１５】
本発明における第２の発明の目的は、上記洗濯機のダンピング吊り棒構造を採用した洗濯機を提供することである。具体的に、以下の技術案を採用した。
洗濯機は、外槽、吊り棒および筐体を含み、外槽は筐体内に設置され、吊り棒の一端は外槽に取り付けられ、もう一端は筐体に取り付けられる。少なくとも２つの相対する前記吊り棒の中部と、外槽との間に、外槽が横方向および縦方向に揺れるのを緩衝するダンピング構造が取り付けられる。
【００１６】
さらに、前記吊り棒は、外槽の中心軸に平行な方向に沿って取り付けられる。
【００１７】
本発明における洗濯機のダンピング吊り棒構造は、吊り棒および外槽の間にダンピング構造を追加し、内外槽アセンブリが脱水時に、水平方向に平行移動するのを効果的に抑制することができる。洗濯機の低速回転時、偏心が比較的大きい場合、槽アセンブリが上下に揺れる状況が生じることがあり、このとき吊り棒底部のバネのみにより、槽の上下の揺れを抑制することはできない。本発明のダンピング構造は、外槽壁に取り付けられ、外槽壁に対して横方向および縦方向に運動することができ、これにより槽の上下の揺れを抑制する。
【００１８】
したがって、本発明における吊り棒および外槽の間に追加したダンピング構造は、外槽の接続部分および吊り棒の棒体のいずれでも上下に運動することができ、さらに左右に揺れる範囲はより広く、機能しなくなる現象が生じることはない。
【図面の簡単な説明】
【００１９】
【図１】図１は、本発明の実施例による洗濯機における垂直吊り棒のダンピング構造の組立図である。
【図２】図２は、本発明の実施例による洗濯機における垂直吊り棒のダンピング構造の俯瞰図である。
【図３】図３は、本発明の実施例による洗濯機における傾斜吊り棒のダンピング構造の組立図である。
【図４】図４は、本発明の実施例による洗濯機における傾斜吊り棒のダンピング構造の俯瞰図である。
【図５】図５は、本発明の別の実施例による洗濯機における傾斜吊り棒のダンピング構造の組立図である。
【図６】図６は、本発明の別の実施例による洗濯機における傾斜吊り棒のダンピング構造の俯瞰図である。
【図７】図７は、本発明の実施例による洗濯機におけるダンピング吊り棒構造のダンピング構造の組立図である。
【図８】図８は、本発明の実施例による洗濯機におけるダンピング吊り棒構造のダンピング構造の分解図である。
【発明を実施するための形態】
【００２０】
以下、図を組み合わせて、本発明における洗濯機のダンピング吊り棒構造および洗濯機について、詳細に記載する。
図１〜図８に示すように、洗濯機のダンピング吊り棒構造は、洗濯機の外槽１００に取り付ける吊り棒３００を含む。前記吊り棒３００に、外槽が横方向および縦方向に揺れるのを緩衝するダンピング構造２００が設けられ、ダンピング構造２００は外槽壁に取り付けられ、外槽壁に対して横方向および縦方向に運動することができる。
【００２１】
既存のパルセータ式洗濯機に基づくと、本実施例に記載する横方向は、パルセータ式洗濯機を水平の床に置くと、水平面と平行である方向を指し、すなわち水平方向である。縦方向は、パルセータ式洗濯機を水平の床に置くと、水平面と垂直である方向を指し、すなわち垂直方向または上下方向である。
【００２２】
本実施例における洗濯機のダンピング吊り棒構造は、吊り棒３００および外槽１００の間にダンピング構造２００を追加し、内外槽アセンブリが脱水時に、水平方向に平行移動するのを効果的に抑制することができる。洗濯機の低速回転時、偏心が比較的大きい場合、槽アセンブリが上下に揺れる状況が生じることがあり、このとき吊り棒２００底部のバネのみにより、槽の上下の揺れを抑制することはできない。本発明のダンピング構造２００は、外槽壁に取り付けられ、外槽壁に対して横方向および縦方向に運動することができ、これにより槽の上下の揺れを抑制する。
【００２３】
したがって、本実施例における吊り棒３００および外槽１００の間に追加したダンピング構造２００は、外槽の接続部分および吊り棒の棒体のいずれでも上下に運動することができ、さらに左右に揺れる範囲はより広く、機能しなくなる現象が生じることはない。
【００２４】
さらに、本実施例のダンピング構造２００は、外槽の縦方向の揺れを緩衝する縦方向ダンピング部と、外槽の横方向の揺れを緩衝する横方向ダンピング部とを含む。縦方向ダンピング部および横方向ダンピング部は、接続ダンピングブロック２０５を介して相互に接続され、前記吊り棒３００は縦方向ダンピング部を通過する。
【００２５】
洗濯機の動作過程における外槽の揺れに対する本実施例のダンピング構造２００の特徴は、縦方向および横方向の２つの方向から、外槽に対してダンピング、限定を行うことである。縦方向ダンピング部および横方向ダンピング部がそれぞれ設置され、より適性を有し、外槽１００に対してより良好な減衰緩衝効果を有する。他に、縦方向ダンピング部および横方向ダンピング部は、接続ダンピングブロックを介して相互に接続され、横方向の緩衝および縦方向の緩衝により、横方向の揺れおよび縦方向の揺れが相互に作用し、相互に打ち消すことができ、全体の緩衝効果をより高める。
【００２６】
具体的に、実施例のダンピング構造は取付ホルダおよび回転スライド棒を含み、前記取付ホルダは外槽１００の外壁に固定され、回転スライド棒の一端は取付ホルダに取り付けられ、取付ホルダに対して上下に運動し、一定角度の円周で回転することができる。前記縦方向ダンピング部および横方向ダンピング部は、回転スライド棒に取り付けられる。
【００２７】
本実施例の回転スライド棒を取付ホルダに取り付けると、取付ホルダに対して横方向に運動し、横方向ダンピング部を組み合わせて、外槽の横方向の揺れを緩衝することができるだけでなく、取付ホルダに対して上下に運動し、縦方向ダンピング部を組み合わせて、外槽の縦方向の揺れを緩衝することもできる。
【００２８】
回転スライド棒および取付ホルダの間の横方向回転および上下運動を実現する接続方式について、本実施例は１つの実施方式を示している。
具体的に、前記取付ホルダは、外槽１００の外壁に平行に設置される上取付ホルダ２１３および下取付ホルダ２１４を含む。前記回転スライド棒は垂直棒２０１および横方向Ｕ状フォーク２０２を含み、垂直棒２０１の両端はそれぞれ横方向Ｕ状フォーク２０２の上下両側に位置し、それぞれ上取付ホルダ２１３および下取付ホルダ２１４内に取り付けられ、横方向Ｕ状フォーク２０２は上取付ホルダ２１３および下取付ホルダ２１４の間に位置する。前記縦方向ダンピング部および横方向ダンピング部は、横方向Ｕ状フォーク２０２に取り付けられる。
【００２９】
本実施例における回転スライド棒の横方向Ｕ状フォーク２０２は、平行に設置される２つのアームを含み、２つのアームの一端は連接棒を介して一体に接続され、Ｕ状構造を形成する。本実施例の回転スライド棒の本体はＵ状構造であり、一端は閉じられ、取り付けるのに便利であり、もう一端は開口で、縦方向ダンピング部および横方向ダンピング部を取り付けるのに便利である。
【００３０】
本実施例の回転スライド棒の垂直棒２０１は、横方向Ｕ状フォーク２０２の連接棒端に設けられ、連接棒の中間位置部分に位置する。垂直棒２０１の中部は横方向Ｕ状フォーク２０２の連接棒と固定接続されるか、または一体成型される。これにより垂直棒２０１は上下２つの接続端を有し、上下２つの接続端はそれぞれ上取付ホルダ２１３および下取付ホルダ２１４内に取り付けられ、相対的回転を実現する。
【００３１】
さらに、本実施例の上取付ホルダ２１３および下取付ホルダ２１４に、それぞれ欠損部分と、欠損部分に取り付ける差込ブロック２１５とが対応して設けられる。前記回転スライド棒の垂直棒２０１を欠損部分の一側に沿って進入させ、さらに差込ブロック２１５を欠損部分に装入して位置制限することができる。前記回転スライド棒の横方向Ｕ状フォーク２０２の直径は、上取付ホルダ２１３および下取付ホルダ２１４の間の距離より小さい。このように、回転スライド棒の垂直棒２０１は、垂直方向内で上下運動することができ、外槽１００のより大きな上下の揺れを緩衝することができることを保証することができる。
【００３２】
本実施例における縦方向ダンピング部の縦方向の緩衝作用を実現するため、本実施例の縦方向ダンピング部は第１ダンピングブロック２０３および第２ダンピングブロック２０４を含む。第１ダンピングブロック２０３および第２ダンピングブロック２０４に、それぞれ縦方向の溝が対応して設けられ、縦方向の溝は、第１ダンピングブロック２０３および第２ダンピングブロック２０３を相対して取り付けると、吊り棒３００が通過する縦方向ダンピング接触部２１０を形成する。
【００３３】
吊り棒３００が縦方向ダンピング部の縦方向ダンピング接触部２１０を通過し、縦方向のダンピング作用を受けるのを実現するため、本実施例は以下の２つの方式を採用する。
１、第１ダンピングブロック２０３および第２ダンピングブロック２０４は、それぞれ弾性ダンピング材からなる。このように、第１ダンピングブロック２０３および第２ダンピングブロック２０４の間に形成される縦方向ダンピング接触部２１０は、吊り棒３００に対して縦方向のダンピング作用を直接生成することができる。
【００３４】
２、第１ダンピングブロック２０３および第２ダンピングブロック２０４が形成する縦方向ダンピング接触部２１０内に、ダンピングシートが設置される。第１ダンピングブロック２０３および第２ダンピングブロック２０４と、吊り棒３００の棒体との間にダンピングシートを追加し、吊り棒３００の棒体に縦方向のダンピングを提供することができる。他に、ダンピングシートの上下の位置制限を保持するため、第１ダンピングブロック２０３および第２ダンピングブロック２０４における縦方向の溝の上下両端に、位置制限ボスが設置される。
【００３５】
本実施例における横方向ダンピング部の横方向の緩衝作用を実現するため、本実施例の横方向ダンピング部は第３ダンピングブロック２０６、第４ダンピングブロック２０７、第５ダンピングブロック２０８および第６ダンピングブロック２０９を含む。第３ダンピングブロック２０６および第４ダンピングブロック２０７は、横方向Ｕ状フォーク２０２の１つのアームの両側に挟むように取り付けられ、第５ダンピングブロック２０８および第６ダンピングブロック２０９は、横方向Ｕ状フォーク２０２のもう１つのアームの両側に挟むように取り付けられ、第４ダンピングブロック２０７および第６ダンピングブロック２０９は、接続棒２１２を介して接続される。
【００３６】
同じ理由で、前記第３ダンピングブロック２０６、第４ダンピングブロック２０７、第５ダンピングブロック２０８および第６ダンピングブロック２０９は、それぞれ弾性ダンピング材からなる。
【００３７】
あるいは、前記第３ダンピングブロック２０６および第４ダンピングブロック２０７の間、第５ダンピングブロック２０８および第６ダンピングブロック２０９の間に、それぞれダンピングシートが設置され、ダンピングシートはそれぞれ横方向Ｕ状フォークのアームを覆う。ダンピングシートの取付を実現するため、本実施例の第３ダンピングブロック２０６および第４ダンピングブロック２０７に、それぞれ横方向の溝が対応して設けられ、第５ダンピングブロック２０８および第６ダンピングブロック２０９に、それぞれ横方向の溝が対応して設けられる。横方向の溝は、第３ダンピングブロック２０６および第４ダンピングブロック２０７、第５ダンピングブロック２０８および第６ダンピングブロック２０９を相対して取り付けると、横方向ダンピング接触部２１１を形成する。
【００３８】
本実施例の縦方向ダンピング部および接続ダンピングブロック２０５は、接続棒２１２の両側に挟むように取り付けられる。具体的に、接続ダンピングブロック２０５は縦方向ダンピング部の第２ダンピングブロック２０４と接続され、接続棒２１２は両者の間に挟まれる。
【００３９】
図１、図２、図３、図４、図５および図６に示すように、本実施例の洗濯機は、外槽１００、吊り棒３００および筐体を含み、外槽１００は筐体内に設置され、吊り棒３００の一端は外槽１００に取り付けられ、もう一端は筐体に取り付けられる。少なくとも２つの相対する前記吊り棒３００の中部と、外槽１００との間に、外槽が横方向および縦方向に揺れるのを緩衝するダンピング構造２００が取り付けられる。
【００４０】
本実施例の吊り棒３００の上端は上取付部３０１であり、筐体に位置制限して取り付けられる。吊り棒３００の下端は下取付部３０２であり、外槽１００底部の吊り棒受け１０１に位置制限して取り付けられる。
【００４１】
図１および図２に示すように、本実施例における洗濯機の吊り棒３００は、外槽の中心軸に平行な方向に沿って取り付けられ、すなわち吊り棒３００は垂直取付方式である。このように、吊り棒３００が傾斜して取り付けられることにより生じる水平分力がダンピング構造２００に影響を及ぼすのを防止することができ、これによりダンピング構造２００は外槽１００の水平および上下の揺れをより良好に緩衝する。
【００４２】
図３および図４に示すように、本実施例における洗濯機の吊り棒３００は、従来の傾斜式の取付方式を採用することもできる。この利点は、既存の吊り棒の取付方式を変更しないことを基に、ダンピング構造２００を追加して取り付けることを実現することができ、外槽１００の水平および上下の揺れの緩衝効果を実現する。
【００４３】
図５および図６に示すように、本実施例における洗濯機の吊り棒３００は傾斜式の取付方式を採用する。ダンピング構造２００を対角に設置される２つの吊り棒３００のみに追加して取り付け、外槽１００の水平および上下の揺れに対する緩衝効果の実現を保証すると同時に、ダンピング構造の取付数量を減少させ、コストを低下させた。
【００４４】
具体的に、本実施例の吊り棒に垂直取付方式を採用するとき、筐体および外槽アセンブリの間の安全な距離を保証するため、筐体の寸法を増加させる必要がある可能性があり、これにより取付の要求を満たす。
【００４５】
本実施例のダンピング構造は、ダンピングブロックまたはダンピングブロック内に取り付けるダンピングシートにより摩擦ダンピングを提供し、外槽アセンブリの水平および上下の２つの方向における揺れを緩衝する。
【００４６】
本実施例のダンピング構造は、外槽１００における取付運動方式であり、左右に揺れ、上下に運動する。
【００４７】
本実施例のダンピング構造は、４つの吊り棒にダンピング構造を追加することも、対角の２つの吊り棒に追加することもでき、好ましくは２つの対角に追加する。
【００４８】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができる。しかし、本発明の技術案の内容を逸脱せずに、本発明の技術的本質に基づいて、以上の実施例に対して行う簡単な修正、均等変化および修飾は、いずれも本発明案の範囲内に属する。
【符号の説明】
【００４９】
１００  外槽
１０１  吊り棒受け
２００  ダンピング構造
２０１  垂直棒
２０２  横方向Ｕ状フォーク
２０３  第１ダンピングブロック
２０４  第２ダンピングブロック
２０５  接続ダンピングブロック
２０６  第３ダンピングブロック
２０７  第４ダンピングブロック
２０８  第５ダンピングブロック
２０９  第６ダンピングブロック
２１０  縦方向ダンピング接触部
２１１  横方向ダンピング接触部
２１２  接続棒
２１３  上取付ホルダ
２１４  下取付ホルダ
２１５  差込ブロック
３００  吊り棒
３０１  上取付部
３０２  下取付部
【図１】
2019512301.tif 000003
【図２】
2019512301.tif 000004
【図３】
2019512301.tif 000005
【図４】
2019512301.tif 000006
【図５】
2019512301.tif 000007
【図６】
2019512301.tif 000008
【図７】
2019512301.tif 000009
【図８】
2019512301.tif 000010
【国際調査報告】
2019512301.tif 000011
2019512301.tif 000012
2019512301.tif 000013
2019512301.tif 000014